(57)【要約】【課題】この発明は、再使用が可能で、網戸枠への網戸用フィルタの位置決めがスムーズで、しかも使い易く、使用時に網を傷つけ難い網戸用フィルタ固定具を提供する。【解決手段】多数の山形掛止片１７付きのフィルタ掛止部１６を有した固定具本体１５と、固定具本体１５を網戸枠１１に貼着する両面テープＴとを備えたので、網戸用フィルタ１４の交換に際して何回でも再使用でき、網戸枠１１への網戸用フィルタ１４の位置決めをスムーズに行うことができ、しかも使い易く、使用時に網１３を傷つけるおそれが少ない。【選択図】図１
2006219960.tif 000002
【特許請求の範囲】
【請求項１】
網戸枠に展張された網の少なくとも一面を被覆する網戸用フィルタを、前記網戸枠に固定する網戸用フィルタ固定具において、
前記網戸用フィルタを掛止する弾性変形自在な複数の山形掛止片が、同一板内に山形の連続した切り込みを入れることで形成されるフィルタ掛止部を有した固定具本体と、
該固定具本体を、前記網戸枠に貼着する両面テープとを備えた網戸用フィルタ固定具。
【請求項２】
網戸枠の全周に形成された環状溝部に、弾性溝シール部材を介して、外周部が弾性的な挟持状態で展張された網の前記環状溝部側の面を被覆する網戸用フィルタを、前記網戸枠に固定する網戸用フィルタ固定具において、
先端部が鋸歯状にカットされ、かつ前記環状溝部と前記弾性溝シール部材との隙間に、前記網戸用フィルタの外周部を押し込むとともに、この押し込み状態のまま、前記隙間に引き抜き自在に留置されるフィルタ押し込み板を備えた網戸用フィルタ固定具。
【請求項３】
窓枠の内周側に設けられたガイドレールと接する周縁溝部が、外周部の略全体に存在する網戸枠に展張された網の少なくとも一面を被覆する網戸用フィルタを、前記網戸枠に固定する網戸用フィルタ固定具において、
前記網戸用フィルタの外周端部を前記周縁溝部に押し込むとともに、この押し込み状態のまま、前記周縁溝部に引き抜き自在に留置される弾性押し込み部材を備えた網戸用フィルタ固定具。
【請求項４】
網戸枠に展張された網の少なくとも一面を被覆する網戸用フィルタを、前記網戸枠に固定する網戸用フィルタ固定具において、
先部の長さ方向の端面が凸形状の雄側掛止条部と、先部の長さ方向の端面が、前記凸形状に対する凹形状の雌側掛止条部とを有する線状ファスナと、
該線状ファスナを、前記網戸枠の網戸用フィルタ展張側に貼着する両面テープとを備えた網戸用フィルタ固定具。
【発明の詳細な説明】
【技術分野】
【０００１】
この発明は網戸用フィルタ固定具、詳しくは網戸の網に貼着された網戸用フィルタを、網戸枠に固定する網戸用フィルタ固定具に関する。
【背景技術】
【０００２】
近年、通気性を保持しながら、網戸を通して屋外から塵、埃、花粉などが室内に入り込まないようにする貼着剤付きの網戸用フィルタが開発されている。
従来、網戸用フィルタを網戸枠に展張状態で固定する網戸用フィルタ固定具として、例えば特許文献１に記載された４種類が知られている。具体的には、(1) 面状ファスナ、(2) 両面テープ、(3) 熱融着性樹脂（接着剤）、(4) 割りピン（ピン状部材））である。
【０００３】
このうち、(1) 面状ファスナの使用方法は、網戸枠の表面側（網戸用フィルタが展張される面側）に一方の面状ファスナを取り付け、網戸用フィルタの外周部の裏面側に他方の面状ファスナを取り付ける。これにより、両面状ファスナを介して、網戸用フィルタが網戸枠に着脱自在に展張される。
(2) 両面テープの使用方法は、予め網戸枠の表面側に両面テープを貼着し、その後、この両面テープに、網戸用フィルタの外周部の裏面側を押し付けて貼着する。これにより、両面テープを介して、網戸用フィルタが網戸枠に着脱自在に展張される。
【０００４】
(3) 熱融着性樹脂の使用方法は、予め網戸枠の表面側に、所定ピッチで熱接着性樹脂をスポット的に接着する。次に、網戸用フィルタの外周部を網戸枠の表面上に重ね合わせ、この部分にアイロンにより熱を加えることで、網戸用フィルタが網戸枠に展張される。
(4) 割りピンの使用方法は、まず広げた網戸用フィルタを網の表面側に当てがい、次に少なくとも網戸用フィルタの四隅において、割りピンを、網戸用フィルタおよび網の網目にそれぞれ差し入れる。その後、各割りピンのピン先をそれぞれ外方に折ることで、網戸用フィルタが網に展張される。
【特許文献１】実用新案登録第３０３４４５５号公報
【発明の開示】
【発明が解決しようとする課題】
【０００５】
しかしながら、この従来の網戸用フィルタ固定具にあっては、以下の問題点あった。
すなわち、(1) 面状ファスナを採用した場合には、網戸用フィルタを網戸枠に位置合わせする際、網戸用フィルタ展張側の面状ファスナと、網戸枠側の面状ファスナとがわずかに接触しただけで互いが掛合してしまう。その結果、網戸用フィルタの位置合わせ作業が面倒であった。
【０００６】
また、(2) 両面テープを採用した場合には、一度、網戸用フィルタを網戸枠に貼着すれば、汚れた網戸用フィルタを新品の網戸用フィルタに交換するとき、両面テープを再使用することができないという課題があった。
さらに、(3) 熱融着性樹脂の場合には、網戸用フィルタの展張時にアイロンを使用するため、網戸用フィルタを網戸枠に固定する作業性が低かった。しかも、その作業時には、網戸を窓枠から外さなければならならず、作業が面倒であった。
そして、(4) 割りピンの場合には、割りピンを網戸用フィルタと、網の網目とに一連に差し入れるので、網を傷め易かった。そのため、その作業に慎重さが要求されていた。しかも、このように網戸用フィルタは、割りピンにより網に固定されている。これにより、強風時に網戸用フィルタが煽られると、風による網戸用フィルタの引っ張り力は割りピンを介してそのまま網に伝達され、網の割りピン挿着部分を傷め易かった。
【０００７】
この発明は、網戸用フィルタの交換に際して何回でも再使用が可能であるとともに、網戸枠への網戸用フィルタの位置決めをスムーズに行うことができ、しかも使い易く、使用時に網を傷つけるおそれが少ない網戸用フィルタ固定具を提供することを目的としている。
また、この発明は、構造が簡単かつ安価で、網戸用フィルタの交換に際して何回でも再使用が可能であるとともに、使い易く、しかも網戸用フィルタの使用を止める際に網戸枠の清掃が不要であり、使用時に網戸枠を窓枠から外す必要がないとともに、網を傷つけるおそれも少ない網戸用フィルタ固定具を提供することを目的としている。
この発明は、構造が簡単かつ安価で、網戸用フィルタの交換に際して何回でも再使用が可能であるとともに、網戸枠への網戸用フィルタの位置決めをスムーズに行うことができ、しかも、網戸用フィルタの使用を止める際に網戸枠の清掃が不要であり、網戸枠と窓枠との隙間からの粉塵の室内への侵入を防ぐことができ、さらには使用時に網を傷つけるおそれも少ない網戸用フィルタ固定具を提供することを目的としている。
【０００８】
この発明は、構造が簡単で、網戸用フィルタの交換に際して何回でも再使用が可能であるとともに、使用時に網戸枠を窓枠から外す必要がないとともに、使用時に網を傷つけるおそれも少なく、使用時における網戸の外観が良好な網戸用フィルタ固定具を提供することを目的としている。
【課題を解決するための手段】
【０００９】
請求項１に記載の発明は、網戸枠に展張された網の少なくとも一面を被覆する網戸用フィルタを、前記網戸枠に固定する網戸用フィルタ固定具において、前記網戸用フィルタを掛止する弾性変形自在な複数の山形掛止片が、同一板内に山形の連続した切り込みを入れることで形成されるフィルタ掛止部を有した固定具本体と、該固定具本体を、前記網戸枠に貼着する両面テープとを備えた網戸用フィルタ固定具である。
【００１０】
請求項１に記載の発明によれば、各山形掛止片の弾性力に抗して、フィルタ掛止部に網戸用フィルタの外周部の一部を押し込む。これにより、各山形掛止片が自己のばね力によって元の形状に戻ろうとする際、互いの間隔が狭まって行く各山形掛止片間または各山形掛止片の先端に、網戸用フィルタの一部が掛止される。
また、フィルタ交換時には、網戸用フィルタの掛止部分を強く引っ張れば、網戸用フィルタの掛止部分が各山形掛止片の掛止状態から簡単に解除される。その結果、網戸用フィルタの掛止および掛止解除の作業が容易になる。フィルタ交換時には、何回でも網戸用フィルタ固定具を再使用することができる。
【００１１】
しかも、従来品のような面状ファスナや両面テープの場合には、網戸枠に網戸用フィルタを位置決めするとき、意に反して面状ファスナまたは両面テープが、目標とは違う位置に固定されてしまうことが頻繁に発生していた。しかしながら、この発明では、各山形掛止片が、同一板内に連続した切り込みを入れることで弾性的に形成されているため、不使用時には、各山形掛止片が常に前記板内に配置され、各山形掛止片の先端はこの板の表面から外に突出しない。その結果、網戸用フィルタの位置決め作業をスムーズに行うことができる。しかも、網戸用フィルタの掛止および掛止解除に際して、網戸用フィルタを傷つけるおそれがほとんどない。
【００１２】
網戸用フィルタが展張される網の面は、屋外面（一面）でもよいし、屋内面（他面）でもよい。または、屋外面と屋内面との両方でもよい。
網戸用フィルタには、布帛（織布、不織布など）を採用することができる。不織布の素材としては、例えば綿、麻、絹などの天然繊維製の不織布でもよいし、ポリプロピレン系樹脂繊維、ポリエステル系樹脂繊維などの各種の合成繊維製の不織布でもよい。また、不織布をプラスチックで固めたものでもよい。
【００１３】
不織布には、粘着剤を付着させてもよい。粘着剤は、例えば天然または合成高分子物質、またはそれに粘着性を付与する添加剤が加えられたものである。ここでいう粘着性とは、空気中を浮遊する微細な粉塵が接触したとき、粉塵をくっつけて捕集することができる性質をいう。
高分子物質としては、例えばアクリル樹脂、天然ゴム、スチレンブタジエンゴム、スチレンイソプレンゴム、シリコーン樹脂などの弾性を有するゴム、またはこれらの混合物などが挙げられる。また、粘着性を付与する添加剤としては、例えばロジン、変性ロジン、これらのエステル化物、フェノール系樹脂、テルペン系樹脂などを採用することができる。
【００１４】
固定具本体の素材は限定されない。例えば、ポリプロピレン、ポリ塩化ビニル、ポリエチレンテレフタレート、ポリエチレンなどの各種のプラスチックを採用することができる。
固定具本体の形状は、容器形状でもよいし、板形状でもよい。例えば、容器形状の場合には、球形状の容器、半球形状の容器、角錐形状の容器、円錐形状の容器、正六面体を含む直方体の容器などを採用することができる。
容器形状とは、内部空間が構成壁により外部から仕切られた箱形でもよいし、通常は一端面が開口されているものの、使用時にその開口部が塞がれて箱形となるものでもよい。このように固定具本体を容器形状とするのは、網戸用フィルタをフィルタ掛止部に掛止する際、フィルタ掛止部の裏側に網戸用フィルタの一部を指先で押し込むスペースを確保するためである。
【００１５】
フィルタ掛止部は、固定具本体に１つまたは２つ以上形成されている。
各山形掛止片は、各先端を中心に向けてそれぞれ円形（環状）に配置してもよい。また、各山形掛止片の先端の向きを交互に反対として直線状に配置してもよい。
フィルタ掛止部は、固定具本体に一体形成されてもよいし、別体で形成されてもよい。別体で形成する際には、各山形掛止片を例えば固定具本体の素材より軟らかいゴムなどの弾性部材により構成してもよい。
両面テープには、市販の各種素材、各種厚さのものを採用することができる。
【００１６】
請求項２に記載の発明は、網戸枠の全周に形成された環状溝部に、弾性溝シール部材を介して、外周部が弾性的な挟持状態で展張された網の前記環状溝部側の面を被覆する網戸用フィルタを、前記網戸枠に固定する網戸用フィルタ固定具において、先端部が鋸歯状にカットされ、かつ前記環状溝部と前記弾性溝シール部材との隙間に、前記網戸用フィルタの外周部を押し込むとともに、この押し込み状態のまま、前記隙間に引き抜き自在に留置されるフィルタ押し込み板を備えた網戸用フィルタ固定具である。
【００１７】
請求項２に記載の発明によれば、網戸の網の環状溝部側の面に網戸用フィルタを展張し、その後、網戸用フィルタの外周部を、フィルタ押し込み板を介して、環状溝部と弾性溝シール部材との隙間に押し込む（環状溝部と弾性溝シール部材との間に網が介在される場合もある）。フィルタ押し込み板は、この状態のままその隙間に留置される。フィルタ押し込み板の先端部は鋸歯状にカットされているので、弾性溝シール部材の弾性力に抗して、網戸用フィルタの外周部を、環状溝部と弾性溝シール部材との隙間の奥までスムーズに押し込むことができる。しかも、フィルタ押し込み板の鋸歯状のカット部分が、あたかも連続した杭のように作用し、風や小さな外力が作用した際に、網戸用フィルタの環状溝部からの抜け落ちを防止することができる。
【００１８】
フィルタ交換時には、環状溝部と弾性溝シール部材との隙間からフィルタ押し込み板を引き抜き、汚れた網戸用フィルタを網から剥がした後、前述したものと同じフィルタ展張作業を施すことで、新品の網戸用フィルタが網に展張される。
このような構成および作用を有するものであるため、構造が簡単かつ安価で、網戸用フィルタの交換に際して何回でも再使用が可能であるとともに、使い易く、しかも網戸用フィルタの使用を止める際に網戸枠の清掃が不要であり、使用時に網戸枠を窓枠から外す必要がないとともに、網を傷つけるおそれも少ない。
【００１９】
鋸歯状のカット（山切りカット）とは、山と谷とが連続するように、被切断物（ここではフィルタ押し込み板の先端部）を鋸歯のようにギザギザに切断することをいう。
網戸枠の屋外面の全域には、網の外周部を固定する環状溝部が形成されている。この環状溝部に、長尺な紐状または環状の弾性シール部材を介して、網の外周部を押し込んで保持することで、網戸枠に網が展張される。
フィルタ押し込み板の素材は限定されない。例えば、各種のプラスチック（ポリエチレン、ポリプロピレン、ＡＢＳ樹脂、ポリエチレンテレフタレートなど）、各種の金属（鉄、ステンレス、アルミニウムなど）、各種の木（杉、檜、松など）、各種のセラミックスなどを採用することができる。
【００２０】
フィルタ押し込み板の形状は、板状であれば限定されない。例えば、円板、楕円板、三角形以上の多角板などを採用することことができる。また、任意形状の板でもよい。
フィルタ押し込み板の厚さは、網戸用フィルタの外周部を、網が保持された環状溝部と弾性溝シール部材との隙間に押し込むことが可能な厚さであれば限定されない。具体的には、０．２〜０．５ｍｍである。０．２ｍｍ未満では、使用時にフィルタ押し込み板が破損するおそれがある。また、０．５ｍｍを超えると、前記隙間にフィルタ押し込み板を差し込めなくなるおそれがある。フィルタ押し込み板の好ましい厚さは、０．３ｍｍ程度である。この範囲であれば、使用時にフィルタ押し込み板が湾曲することなく、指で押し込む力がスムーズにフィルタ押し込み板に伝わり、フィルタ押し込み板を隙間に差し込み易いというさらに好適な効果が得られる。
【００２１】
フィルタ押し込み板の長さ（使用時における環状溝部の長さ方向の長さ）は限定されない。例えば１０〜２００ｍｍである。１０ｍｍ未満では、フィルタ押し込み板を隙間に差し込むときに力をかけ難く、またフィルタ押し込み板が隙間から外れ易い。また、２００ｍｍを超えると、フィルタ押し込み板が長すぎて使い難い。フィルタ押し込み板の好ましい長さは、５０〜１００ｍｍである。この範囲であれば、フィルタ押し込み板を容易に前記隙間に押し込むことができ、フィルタ押し込み板が隙間から外れ難いように固定することができるというさらに好適な効果が得られる。
【００２２】
フィルタ押し込み板の幅（使用時における環状溝部の幅方向の長さ）は限定されない。例えば５〜１００ｍｍである。５ｍｍ未満では、網戸用フィルタが外れ易い。３０ｍｍを超えてもその効果に変化はほとんどない。しかしながら、フィルタ押し込み板が風の抵抗を受け易くなり、隙間からフィルタ押し込み板が外れる原因となる。フィルタ押し込み板の好ましい幅は、１０〜１５ｍｍである。この範囲であれば、使用時に指先に極端な負荷が作用することなく、コンパクトで、かつ容易に隙間の奥まで挿入することができるというさらに好適な効果が得られる。
【００２３】
請求項３に記載の発明は、窓枠の内周側に設けられたガイドレールと接する周縁溝部が、外周部の略全体に存在する網戸枠に展張された網の少なくとも一面を被覆する網戸用フィルタを、前記網戸枠に固定する網戸用フィルタ固定具において、前記網戸用フィルタの外周端部を前記周縁溝部に押し込むとともに、この押し込み状態のまま、前記周縁溝部に引き抜き自在に留置される弾性押し込み部材を備えた網戸用フィルタ固定具である。
【００２４】
請求項３に記載の発明によれば、網戸の網に展張され、網戸枠の外周縁から外にはみ出した網戸用フィルタの外周端部を周縁溝部内に折り返し、その後、周縁溝部に弾性押し込み部材を押し込み、網戸用フィルタの外周端部を周縁溝部と弾性押し込み部材との間で挟み込む。このとき、弾性押し込み部材は変形し易い弾性体であるため、周縁溝部の溝幅より弾性押し込み部材を若干太く（幅を大きく）することで、網戸用フィルタが網戸枠にしっかりと固定される。
このような構成および作用を有するものであるため、構造が簡単かつ安価で、網戸用フィルタの交換に際して何回でも再使用が可能であるとともに、網戸枠への網戸用フィルタの位置決めをスムーズに行うことができ、しかも、網戸用フィルタの使用を止める際に網戸枠の網戸用フィルタ側面の清掃が不要または簡単になり、網戸枠と窓枠との隙間からの粉塵の室内への侵入を防ぐことができ、さらには使用時に網を傷つけるおそれも少ない。
【００２５】
網戸枠の外周端面の略全域には、周縁溝部が形成されている。
弾性押し込み部材の素材は限定されない。例えば、天然ゴム、スチレン・ブタジエンゴム、塩化ゴムなどのゴム形状素材の他、各種の発泡性の軟質合成樹脂（発泡ポリエチレン、発泡ポリプロピレン、ポリウレタンなど）、各種の布帛（織布、不織布、編み布）を採用することができる。
弾性押し込み部材の形状は限定されない。例えば、球形状、直方体形状、円柱形状（ソーセージ形状）および角柱形状などを採用することができる。
【００２６】
弾性押し込み部材の長さは限定されない。網戸枠の対応する辺と同じ長さでもよいし、それより短くてもよい。具体的には５０〜１０００ｍｍである。５０ｍｍ未満では弾性押し込み部材が短か過ぎて網戸フィルタが外れ易い。また、１０００ｍｍを超えると、弾性押し込み部材が長すぎて、網戸枠の周縁溝部からはみ出し、網戸枠を窓枠に取り付け難い。弾性押し込み部材の好ましい長さは５０〜１００ｍｍである。この範囲であれば、弾性押し込み部材を容易に押し込むことができるというさらに好適な効果が得られる。
弾性押し込み部材の幅（太さ）は限定されない。ただし、周縁溝部の溝幅と略同じかそれより若干長い方が、弾性押し込み部材の弾性力を利用して、網戸用フィルタを周縁溝部にしっかりと固定することができるので好ましい。具体的には、使用する網戸枠に形成された周縁溝部の幅と同じか、それより９〜１３ｍｍだけ長い方が好適である。
【００２７】
網戸用フィルタの外周部を、面状ファスナにより、網戸枠の網戸用フィルタ展張側の面に掛止するようにしてもよい。こうすれば網戸用フィルタの展張時、網戸用フィルタの外周部が、面状ファスナにより網戸枠の網戸用フィルタ展張側の面に掛止される。これにより、使用中、網戸用フィルタのうち、網戸枠の外周端から周縁溝部に折り返される部分の弛みの発生が防止される。その結果、網戸枠の外周縁部と窓枠のガイドレールとの間で、網戸用フィルタの折り返し部分が擦れて破損するおそれが少なくなる。
面状ファスナ（マジックテープ（登録商標））としては、多数のフックを有する雄側ファスナ部と、各フックに掛止可能な多数のループ突起を有する雌側ファスナ部とから構成されるものを採用することができる。また、フックとループ突起とが混在する雄雌兼用のものを採用することができる。
【００２８】
また、網戸用フィルタの外周部を、両面テープにより網戸枠の網戸用フィルタ展張側の面に貼着するようにしてもよい。こうすれば、網戸用フィルタの展張時、網戸用フィルタの外周部が、両面テープにより網戸枠の網戸用フィルタ展張側の面に掛止される。そのため、使用中、網戸用フィルタのうち、網戸枠の外周端から周縁溝部に折り返される部分に弛みが発生し難い。その結果、網戸枠の外周縁部と窓枠のガイドレールとの間で、網戸用フィルタの折り返し部分が擦れて破損するおそれが少なくなる。
両面テープとしては、市販のものを採用することができる。
【００２９】
請求項４に記載の発明は、網戸枠に展張された網の少なくとも一面を被覆する網戸用フィルタを、前記網戸枠に固定する網戸用フィルタ固定具において、先部の長さ方向の端面が凸形状の雄側掛止条部と、先部の長さ方向の端面が、前記凸形状に対する凹形状の雌側掛止条部とを有する線状ファスナと、該線状ファスナを、前記網戸枠の網戸用フィルタ展張側に貼着する両面テープとを備えた網戸用フィルタ固定具である。
【００３０】
請求項４に記載の発明によれば、雄側掛止条部と雌側掛止条部との間に網戸用フィルタの外周部を配置し、この状態のまま、両掛止条部同士を掛合する。これにより、網戸用フィルタの外周部が線状ファスナを介して、網戸枠に固定される。
このような構成および作用を有する網戸用フィルタ固定具であるため、構造が簡単で、網戸用フィルタの交換に際して何回でも再使用が可能であるとともに、使用時に網戸枠を窓枠から外す必要がないとともに、使用時に網を傷つけるおそれも少なく、使用時における網戸の外観が良好となる。
雄側掛止条部および雌側掛止条部の素材は限定されない。例えば、各種のプラスチックを採用することができる。
雄側掛止条部と雌側掛止条部との嵌合形状は限定されない。
雄側掛止条部と雌側掛止条部とは一体形成されてもよいし、別体で形成されてもよい。
【発明の効果】
【００３１】
請求項１に記載の発明によれば、複数の山形掛止片付きのフィルタ掛止部を有した固定具本体と、固定具本体を網戸枠に貼着する両面テープとを備えたので、網戸用フィルタの交換に際して何回でも再使用が可能であるとともに、網戸枠への網戸用フィルタの位置決めをスムーズに行うことができ、しかも使い易く、使用時に網を傷つけるおそれが少ない。
【００３２】
請求項２に記載の発明によれば、先端部が鋸歯状にカットされたフィルタ押し込み板を備えたので、構造が簡単かつ安価で、網戸用フィルタの交換に際して何回でも再使用が可能であるとともに、使い易く、しかも網戸用フィルタの使用を止める際に網戸枠の清掃が不要であり、使用時に網戸枠を窓枠から外す必要がないとともに、網を傷つけるおそれも少ない。
【００３３】
請求項３に記載の発明によれば、網戸用フィルタの外周端部を周縁溝部に押し込む弾性押し込み部材を備えたので、構造が簡単かつ安価で、網戸用フィルタの交換に際して何回でも再使用が可能であるとともに、網戸枠への網戸用フィルタの位置決めをスムーズに行うことができ、しかも、網戸用フィルタの使用を止める際に網戸枠の清掃が不要であり、網戸枠と窓枠との隙間からの粉塵の室内への侵入を防ぐことができ、さらには使用時に網を傷つけるおそれも少ない。
【００３４】
請求項４に記載の発明によれば、雄側掛止条部と雌側掛止条部とからなる線状ファスナと、これを網戸枠に貼着する両面テープとを備えたので、構造が簡単で、網戸用フィルタの交換に際して何回でも再使用が可能であるとともに、使用時に網戸枠を窓枠から外す必要がないとともに、使用時に網を傷つけるおそれも少なく、使用時における網戸の外観も良好になる。
【００３５】
以下、この発明の実施例を図面を参照して説明する。まず、図１〜図３を参照してこの発明の実施例１に係る網戸用フィルタ固定具を説明する。
【実施例１】
【００３６】
図１および図２において、１０はこの発明の実施例１に係る網戸用フィルタ固定具で、この網戸用フィルタ固定具１０は、網戸１２の骨格となる矩形状の網戸枠１１に展張された網１３の少なくとも一面を被覆し、かつ粉塵を吸着する粘着剤が付着された網戸用フィルタ１４を、網戸枠１１に固定するものである。ここでは、網戸１枚当たり６個の網戸用フィルタ固定具１０が使用される。なお、粘着剤付きでない網戸用フィルタでもよい。
網戸１２は、窓枠（サッシュ）の図示しないガイドレールに摺動自在に支持された矩形枠である網戸枠１１と、網戸枠１１に展張状態で固着された網１３とを有している。
【００３７】
網戸用フィルタ１４は、繊維径が６．７デシテックス（約６デニール）のポリエステル系繊維を、ポリ塩化ビニル系のバインダにより接着して固定した矩形シート状の不織布からなる。
この不織布の一例として、目付が３６．５ｇ／ｍ２、厚さが３〜５ｍｍ、フィルタ圧力損失が０．２３ｍｍＨ２Ｏのものを使用する。網戸用フィルタ１４は、乾式のフリース製法で製造され、粉塵を捕集し易いように、ふんわりとしたシート厚さを保つように形成されている。また、その他の不織布として、例えばポリプロピレン繊維、アクリル系バインダを熱融着により接着した不織布を採用することができる。その場合、不織布の目付は１０〜６０ｇ／ｍ２、厚さは０．２〜１０ｍｍとする。不織布の全体には、スチレンブタジエンゴム系の粘着剤が付着されている。これにより、空気中を浮遊する微細な粉塵が不織布に接触したとき、粉塵を瞬時に捕集することができる。
【００３８】
網戸用フィルタ固定具１０は、固定具本体１５と、この固定具本体１５を網戸枠１１に貼着する両面テープＴとを備えている。
固定具本体１５は、厚さ０．３ｍｍのプラスチック製で、網戸枠１１のコーナー部分に取り付けできるように三角形状を有している。固定具本体１５の中央部には、高さが約１０ｍｍと低い六角ケース形状を有したフィルタ掛止部１６が設けられている。フィルタ掛止部１６の上板１６ａの中央部一帯には、網戸用フィルタ１４を掛止する弾性変形自在な多数の山形掛止片１７が、同一板内に山形を環状に連続させた星形の切り込みを入れることでそれぞれ形成されている。各山形掛止片１７は、平面視して前記上板１６ａの中心線を中心として放射配置される。両面テープＴは、固定具本体１５の裏面に取り付けられている。
【００３９】
また、別の網戸用フィルタ固定具１０Ａとして、下面が開口された高さ１０ｍｍの三角ケース形状を有した別のフィルタ掛止部１６Ａを有するものを採用してもよい（図３）。フィルタ掛止部１６Ａの開口部（下側）の各辺には、固定具本体１５Ａを構成する合計３枚のフランジ１５ａ〜１５ｃがそれぞれ一体形成されている。これにより、網戸用フィルタ固定具１０Ａを加工コストが安価な真空成形により製造することができる。この場合、両面テープＴは各フランジ１５ａ〜１５ｃの裏面に取り付けられる。なお、別のフィルタ掛止部１６Ａは、これを網戸枠１１に貼着することで、フィルタ掛止部１６Ａの開口部が網戸枠１１により塞がれて箱形状となる。
【００４０】
次に、この発明の実施例１に係る網戸用フィルタ固定具１０の使用方法を説明する。
図１および図２に示すように、まず各網戸用フィルタ固定具１０の両面テープＴの剥離紙を剥がし、網戸枠１１の各コーナー部分の屋外側、および、網戸枠１１の両側枠板の中間部分（網戸枠１１の中間梁材１１ａの連結部分）の屋外側に、合計６個の網戸用フィルタ固定具１０をそれぞれ貼着する。
次に、網１３のサイズより縦横方向に何れも約２ｃｍだけ広い網戸用フィルタ１４の一端部を、各網戸用フィルタ固定具１０において、フィルタ掛止部１６の各山形掛止片１７の弾性力に抗して押し込む。これにより、各山形掛止片１７が自己のばね力によって元の形状に戻ろうとする際、互いの間隔が徐々に狭まる各山形掛止片１７間または各山形掛止片１７の先端に、網戸用フィルタ１４の一部がそれぞれ掛止される。これにより、網戸用フィルタ１４が網１３の屋外側の面に沿って展張される。
【００４１】
フィルタ交換時には、網戸用フィルタ１４の掛止部分を強く引っ張れば、網戸用フィルタ１４の掛止部分が各山形掛止片１７の掛止状態から簡単に解除される。これにより、網戸用フィルタ１４の掛止および掛止解除の作業が容易となる。そのため、フィルタ交換時には、何回でも網戸用フィルタ固定具１０を再使用することができる。
しかも、従来の面状ファスナや両面テープだけからなる網戸用フィルタ固定具の場合には、網戸枠に網戸用フィルタを位置決めする際、意に反して面状ファスナまたは両面テープが、目標とは違う位置に固定されることが頻繁に発生していた。しかしながら、この網戸用フィルタ固定具１０では、各山形掛止片１７が、上板１６ａに星型の連続した切り込みを入れることで弾性的に形成されるため、不使用時には、各山形掛止片１７が常に前記上板１６ａ内に配置され、各山形掛止片１７の鋭利な先端は、この上板１６ａの表面から外に突出しない。その結果、網戸用フィルタ１４の位置決め作業をスムーズに行うことができる。しかも、網戸用フィルタ１４の掛止および掛止解除に際して、網戸用フィルタ１４を傷つけるおそれがほとんどない。
この網戸用フィルタ固定具１０により網戸用フィルタ１４が固定された網戸１２は、従来の網戸と同じように開閉・使用することができる。
【００４２】
次に、図４および図５を参照して、この発明の実施例２に係る網戸用フィルタ固定具を説明する。
図４に示すように、実施例２の網戸用フィルタ固定具１０Ｂは、先端部が鋸歯状にカットされ、かつ網戸枠１１の網戸用フィルタ展張側の全周に形成された環状溝部１８と、弾性溝シール部材１９との隙間に、網戸用フィルタ１４の外周部を押し込むとともに、この押し込み状態のまま、環状溝部１８と弾性溝シール部材１９との隙間に引き抜き自在に留置されるフィルタ押し込み板２０からなる。ここでは、１０枚のフィルタ押し込み板２０が使用されている。
網戸枠１１の網戸用フィルタ展張側の全周には、環状溝部１８が形成されている。この環状溝部１８の全域には、長尺なゴム製の弾性溝シール部材１９を介して、網１３の外周部が押し込まれている。これにより、網戸枠１１に網１３が展張される。
【００４３】
フィルタ押し込み板２０は、長さ５０ｍｍ、幅１０ｍｍ、厚さ０．５ｍｍのプラスチック製の板片である。フィルタ押し込み板２０の元部（鋸歯カット側とは反対側の部分）側の端には、幅５ｍｍの摘まみ部２０ａが、フィルタ押し込み板２０に対して直角に屈曲するように一体形成されている。鋸歯状カットのピッチは７ｍｍである。使用時、フィルタ押し込み板２０は、環状溝部１８の開口縁から摘まみ部２０ａだけが、網戸枠１１の網戸用フィルタ展張側の面と平行状態で、外方に突出している。
【００４４】
次に、この発明の実施例２に係る網戸用フィルタ固定具１０の使用方法を説明する。
図４および図５に示すように、網戸の網１３の環状溝部側の面に網戸用フィルタ１４を貼着し、その後、網戸用フィルタ１４の外周部を、フィルタ押し込み板２０を介して、環状溝部１８と弾性溝シール部材１９との隙間に押し込む。フィルタ押し込み板２０は、この状態のままその隙間に留置される。
フィルタ押し込み板２０の先端部は鋸歯状にカットされている。これにより、弾性溝シール部材１９の弾性力に抗して、網戸用フィルタ１４の外周部を、環状溝部１８と弾性溝シール部材１９との隙間の奥深くまでスムーズに押し込むことができる。しかも、フィルタ押し込み板２０の鋸歯カット部分が、あたかも連続した杭のように網戸用フィルタ１４の外周部に対して作用し、風や小さな外力が網戸用フィルタ１４に作用したときに、網戸用フィルタ１４の環状溝部１８からの抜けが抑制される。
【００４５】
フィルタ交換時には、環状溝部１８と弾性溝シール部材１９との隙間からフィルタ押し込み板２０を引き抜くとともに、汚れた網戸用フィルタ１４を網１３から引き剥がす。その後、前述したようなフィルタ展張作業を施すことで、新しい網戸用フィルタ１４が網１３に展張される。
実施例２の網戸用フィルタ固定具１０Ｂは、このような構成および作用を有しているため、構造が簡単かつ安価で、網戸用フィルタ１４の交換に際して何回でも再使用が可能である。しかも、使い易く、網戸用フィルタ１４の使用を止める際に網戸枠１１の清掃が不要であり、使用時に網戸枠１１を窓枠から外す必要がないとともに、網１３を傷つけるおそれも少ない。
その他の構成、作用および効果は、実施例１と略同じであるので、説明を省略する。
【００４６】
次に、図６および図７を参照して、この発明の実施例３に係る網戸用フィルタ固定具を説明する。
図６および図７に示すように、この発明の実施例３に係る網戸用フィルタ固定具１０Ｃは、網戸用フィルタ１４の外周端部を、網戸枠１１の全ての外周端面に形成された周縁溝部１１ｂに押し込むとともに、この押し込み状態のまま、周縁溝部１１ｂに引き抜き自在に留置される弾性押し込み部材２１と、網戸用フィルタ１４の外周部を、網戸枠１１の網戸用フィルタ展張側の面に掛止する面状ファスナＦとを有している。弾性押し込み部材２１および面状ファスナＦは、使用個数はそれぞれ１０個である。
【００４７】
網戸枠１１の上下の枠板（辺部）には、図示しない窓枠の上下のガイドレールに沿って摺動するために、周縁溝部１１ｂがそれぞれ形成されている。また、網戸枠１１の左右の枠板（辺部）にも、窓枠の左右のガイドレール（隙間シール用のレール）に嵌まるための周縁溝部１１ｂがそれぞれ形成されている。
周縁溝部１１ｂは、幅７．５〜１２ｍｍ、深さ１０〜２３ｍｍの溝である。
弾性押し込み部材２１は、直径１０ｍｍ、長さ５０ｍｍの発泡プラスチック製の湾曲自在な円柱スポンジである。
面状ファスナＦとしては、多数本の小さなフックを有する雄側ファスナ部だけが採用されている。網戸用フィルタ１４は不織布である。そのため、網戸用フィルタ１４が雌側ファスナ部を兼用する。なお、面状ファスナＦに代えて、両面テープＴを採用してもよい。
各面状ファスナＦは、網戸枠１１の所定部分の網戸用フィルタ展張側の面に１つずつ貼着されている。具体的には、網戸枠１１の上枠板１１ｃの長さ方向の両端部と、網戸枠１１の下枠板１１ｄの長さ方向の両端部と、網戸枠１１の左枠板１１ｅの長さ方向の両端部および中間部と、網戸枠１１の右枠板１１ｆの長さ方向の両端部および中間部との合計１０箇所に、それぞれ貼着されている。１０本の弾性押し込み部材２１は、周縁溝部１１ｂのうち、各面状ファスナＦの固定位置近傍に押し込められる。
【００４８】
次に、この発明の実施例３に係る網戸用フィルタ固定具１０の使用方法を説明する。
図６および図７に示すように、網戸枠１１より縦横１０ｃｍだけ大きい網戸用フィルタ１４を用意する。次に、網戸１２の網１３に貼着され、網戸枠１１の外周縁から外にはみ出した網戸用フィルタ１４の外周端部を、周縁溝部１１ｂ内に折り返す。このとき、網戸用フィルタ１４の外周部のうち、網戸枠１１の周縁溝部１１ｂ内に配置された各車輪に対向する部分は、それらを切除することで、窓枠のガイドレールに沿った網戸１２の走行に支障がないようにする。
その後、網戸用フィルタ１４の外周端部が周縁溝部１１ｂに存在した状態で、周縁溝部１１ｂに弾性押し込み部材２１を押し込む。これにより、網戸用フィルタ１４の外周端部が、周縁溝部１１ｂと弾性押し込み部材２１との間で挟み込まれる。このとき、弾性押し込み部材２１は変形し易い弾性体である。そのため、周縁溝部１１ｂの溝幅より弾性押し込み部材２１を若干太く（幅を大きく）することで、網戸用フィルタ１４が網戸枠１１にしっかりと固定される。
【００４９】
実施例３の網戸用フィルタ固定具１０は、このような構成および作用を有するものである。そのため、構造が簡単かつ安価で、網戸用フィルタ１４の交換に際して何回でも再使用が可能である。しかも、網戸枠１１への網戸用フィルタ１４の位置決めを、障害物がなくスムーズに行うことができる。さらに、網戸用フィルタ１４の使用を止める際に網戸枠１１の清掃が不要で、網戸枠１１と窓枠との隙間からの粉塵の室内への侵入を防ぐことができる。さらには、使用時に網１３を傷つけるおそれも少ない。
また、フィルタ展張時には、網戸用フィルタ１４の外周部が、面状ファスナＦにより網戸枠１１の網戸用フィルタ展張側の面に掛止される。その結果、網戸用フィルタ固定具１０の使用中、網戸用フィルタ１４のうち、網戸枠１１の外周端から周縁溝部１１ｂに折り返される部分の弛みが発生し難い。よって、網戸枠１１の外周縁部と窓枠のガイドレールとの間で、網戸用フィルタ１４の折り返し部分が擦れてしまい、網戸用フィルタ１４が破損するというおそれが少ない。
【００５０】
しかも、網戸枠１１上での面状ファスナＦの貼着位置は、弾性押し込み部材２１の押し込み位置の近傍である。これにより、フィルタ展張時には、まず網戸用フィルタ１４の外周部を網戸外方にテンションをかけながら面状ファスナＦに掛止する。これにより、次に、網戸用フィルタ１４のうち、面状ファスナＦに掛止された部分より外側の部分を、弾性押し込み部材２１により周縁溝部１１ｂに押し込む際、緊張力がほとんどない状態で網戸用フィルタ１４の外周部を簡単に押し込んで、網戸用フィルタ１４を網戸枠１１に展張することができる。
その他の構成、作用および効果は、実施例１から推測可能な範囲であるので、説明を省略する。
【００５１】
次に、図８および図９を参照して、この発明の実施例４に係る網戸用フィルタ固定具を説明する。
図８および図９に示すように、この発明の実施例４に係る網戸用フィルタ固定具１０Ｄは、先部の長さ方向の端面が凸形状を有した長尺な雄側掛止条部２２と、先部の長さ方向の端面が、凸形状に対する凹形状を有した長尺な雌側掛止条部２３とからなる線状ファスナ（固定具本体）２４と、線状ファスナ２４を、網戸枠１１の網戸用フィルタ展張側に貼着する両面テープＴとを備えている。
線状ファスナ２４はプラスチック製で、雄側掛止条部２２と雌側掛止条部２３とが別体で形成されている。線状ファスナ２４の長さは、網戸枠１１の網周りの全周の長さを有している。なお、雄側掛止条部２２と雌側掛止条部２３とは、互いの幅方向の一端同士をヒンジ状に連結するなどして、一体形成してもよい。各線状ファスナ２４のうち、各雌側掛止条部２３は、網戸枠１１の網戸用フィルタ展張側に貼着される。具体的な各雌側掛止条部２３の貼着位置は、実施例３の面状ファスナＦの貼着位置と同じである。
【００５２】
次に、この発明の実施例４に係る網戸用フィルタ固定具の使用方法を説明する。
図８に示すように、各雌側掛止条部２３を、図７に示す網戸枠１１の各面状ファスナＦの貼着位置に貼着する。次に、雄側掛止条部２２と雌側掛止条部２３との間に網戸用フィルタ１４の外周部を配置し、この状態のまま、両掛止条部２２，２３同士を掛合する。これにより、線状ファスナ２４を介して、網戸用フィルタ１４の外周部が網戸枠１１に固定される。
実施例４の網戸用フィルタ固定具１０Ｄは、このような構成および作用を有するものであるため、構造が簡単で、網戸用フィルタ１４の交換に際して何回でも再使用が可能であるとともに、使用時に網戸枠１１を窓枠から外す必要がないとともに、使用時に網１３を傷つけるおそれも少なく、使用時における網戸の外観が良好となる。
【図面の簡単な説明】
【００５３】
【図１】この発明の実施例１に係る網戸用フィルタの使用状態を示す要部斜視図である。
【図２】この発明の実施例１に係る網戸用フィルタの使用状態を示す平面図である。
【図３】この発明の実施例１に係る別の網戸用フィルタの使用状態を示す平面図である。
【図４】この発明の実施例２に係る網戸用フィルタの使用状態を示す要部斜視図である。
【図５】この発明の実施例２に係る網戸用フィルタの使用状態を示す平面図である。
【図６】この発明の実施例３に係る網戸用フィルタの使用状態を示す要部斜視図である。
【図７】この発明の実施例３に係る網戸用フィルタの使用状態を示す平面図である。
【図８】この発明の実施例４に係る網戸用フィルタの使用状態を示す要部斜視図である。
【符号の説明】
【００５４】
１０，１０Ａ〜１０Ｄ  網戸用フィルタ固定具、
１１  網戸枠、
１１ｂ  周縁溝部、
１３  網、
１４  網戸用フィルタ、
１５，１５Ａ  固定具本体、
１６，１６Ａ  フィルタ掛止部、
１７  山形掛止片、
１８  環状溝部、
１９  弾性溝シール部材、
２０  フィルタ押し込み板、
２１  弾性押し込み部材、
Ｆ  面状ファスナ、
Ｔ  両面テープ。                                                          
【図１】
2006219960.tif 000003
【図２】
2006219960.tif 000004
【図３】
2006219960.tif 000005
【図４】
2006219960.tif 000006
【図５】
2006219960.tif 000007
【図６】
2006219960.tif 000008
【図７】
2006219960.tif 000009
【図８】
2006219960.tif 000010